(57)【要約】【課題】集合写真の編集処理の作業負荷を軽減する。【解決手段】本実施形態に係る集合写真編集装置は、集合写真の撮影画像から複数の人物の顔を抽出する顔抽出部と、前記複数の人物のうち前記撮影画像内の左右の両端にいる人物の顔の位置から前記撮影画像の左右両端までの長さに基づいて、集合写真のプリントサイズを決定するプリントサイズ決定部と、前記複数の人物のうち前記撮影画像内の最上部にいる人物の顔の位置及び／又は最下部にいる人物の顔の位置と、テキスト領域を上下のどちらに配置するかを示す設定情報とに基づいて、前記プリントサイズに応じた前記撮影画像からの切り出し領域を決定する切り出し領域決定部と、前記切り出し領域における前記テキスト領域の位置を決定するテキスト領域決定部と、前記テキスト領域に文字情報を合成する文字合成部と、を備える。【選択図】図１
2020004197.tif 000002
【特許請求の範囲】
【請求項１】
集合写真の撮影画像から複数の人物の顔を抽出する顔抽出部と、
前記複数の人物のうち前記撮影画像内の左右の両端にいる人物の顔の位置から前記撮影画像の左右両端までの長さに基づいて、集合写真のプリントサイズを決定するプリントサイズ決定部と、
前記複数の人物のうち前記撮影画像内の最上部にいる人物の顔の位置及び／又は最下部にいる人物の顔の位置と、テキスト領域を上下のどちらに配置するかを示す設定情報とに基づいて、前記プリントサイズに応じた前記撮影画像からの切り出し領域を決定する切り出し領域決定部と、
前記切り出し領域における前記テキスト領域の位置を決定するテキスト領域決定部と、
前記テキスト領域に文字情報を合成する文字合成部と、
を備える集合写真編集装置。
【請求項２】
前記撮影画像から切り出された前記切り出し領域に前記テキスト領域が配置され、前記テキスト領域に前記文字情報が合成されたプリント用画像をプリンタへ転送すると共に、前記プリントサイズ決定部が決定したプリントサイズを前記プリンタに指示するプリント処理部をさらに備えることを特徴とする請求項１に記載の集合写真編集装置。
【請求項３】
前記文字情報の入力を受け付ける入力部をさらに備えることを特徴とする請求項１又は２に記載の集合写真編集装置。
【請求項４】
前記テキスト領域決定部は、前記切り出し領域の上端又は下端から所定の高さの領域を前記テキスト領域とすることを特徴とする請求項１乃至３のいずれか１項に記載の集合写真編集装置。
【請求項５】
前記プリントサイズ決定部は、前記複数の人物のうち前記撮影画像内の左端にいる人物の顔から前記撮影画像の左端までの長さと前記撮影画像の幅との比率、及び／又は前記撮影画像の右端にいる人物の顔から前記撮影画像の右端までの長さと前記撮影画像の幅との比率に基づいて、集合写真のプリントサイズを決定することを特徴とする請求項１乃至４のいずれか１項に記載の集合写真編集装置。
【請求項６】
集合写真の撮影画像から複数の人物の顔を抽出するステップと、
前記複数の人物のうち前記撮影画像内の左右の両端にいる人物の顔の位置から前記撮影画像の左右両端までの長さに基づいて、集合写真のプリントサイズを決定するステップと、
前記複数の人物のうち前記撮影画像内の最上部にいる人物の顔の位置及び／又は最下部にいる人物の顔の位置と、テキスト領域を上下のどちらに配置するかを示す設定情報とに基づいて、前記プリントサイズに応じた前記撮影画像からの切り出し領域を決定するステップと、
前記切り出し領域における前記テキスト領域の位置を決定するステップと、
前記テキスト領域に文字情報を合成するステップと、
をコンピュータに実行させることを特徴とするプログラム。
【発明の詳細な説明】
【技術分野】
【０００１】
本発明は、集合写真編集装置及びプログラムに関する。
【背景技術】
【０００２】
学校行事、団体旅行、結婚式等のイベントでは、複数の参加者が集合した集合写真を撮影することが多い。例えば、プロカメラマンが集合写真を撮影し、パーソナルコンピュータ等を用いて、撮影画像に対し、文字入れやトリミング等の編集処理を行う。文字入れは、イベントの名称や撮影日等の文字情報の入力・合成である。トリミングは、撮影画像のサイズを、プリント用紙のサイズに合わせるために行われる。
【０００３】
一般に、集合写真を撮影するデジタルカメラは、横縦比が３：２、４：３又は１６：９などで撮影画像を生成する。一方、集合写真をプリントする用紙として一般的な２Ｌ版は横縦比が約１．４：１、２Ｌｗ版は横縦比が約１．５：１となっている。撮影画像とプリント用紙とで横縦比が異なると、画像の上下や左右がプリントされなくなる。そのため、事前にトリミングを行っていた。
【０００４】
トリミングは、文字入れ領域を確保しつつ、上下左右の端部に位置する被写体の顔画像が切れないように行う必要があり、手間のかかる作業であった。また、撮影時は、「集合写真の文字入れの場所」を意識しながら撮影位置、アングルを決める必要があり、カメラマンなどの撮影者にとって苦労する作業であった。
【先行技術文献】
【特許文献】
【０００５】
【特許文献１】特開２００１−４５３５５号公報
【発明の概要】
【発明が解決しようとする課題】
【０００６】
本発明は、集合写真の編集処理の作業負荷を軽減する集合写真編集装置及びプログラムを提供することを課題とする。
【課題を解決するための手段】
【０００７】
本発明による集合写真編集装置は、集合写真の撮影画像から複数の人物の顔を抽出する顔抽出部と、前記複数の人物のうち前記撮影画像内の左右の両端にいる人物の顔の位置から前記撮影画像の左右両端までの長さに基づいて、集合写真のプリントサイズを決定するプリントサイズ決定部と、前記複数の人物のうち前記撮影画像内の最上部にいる人物の顔の位置及び／又は最下部にいる人物の顔の位置と、テキスト領域を上下のどちらに配置するかを示す設定情報とに基づいて、前記プリントサイズに応じた前記撮影画像からの切り出し領域を決定する切り出し領域決定部と、前記切り出し領域における前記テキスト領域の位置を決定するテキスト領域決定部と、前記テキスト領域に文字情報を合成する文字合成部と、を備えるものである。
【０００８】
本発明の一態様による集合写真編集装置において、前記撮影画像から切り出された前記切り出し領域に前記テキスト領域が配置され、前記テキスト領域に前記文字情報が合成されたプリント用画像をプリンタへ転送すると共に、前記プリントサイズ決定部が決定したプリントサイズを前記プリンタに指示するプリント処理部をさらに備える。
【０００９】
本発明の一態様による集合写真編集装置において、前記文字情報の入力を受け付ける入力部をさらに備える。
【００１０】
本発明の一態様による集合写真編集装置において、前記テキスト領域決定部は、前記切り出し領域の上端又は下端から所定の高さの領域を前記テキスト領域とする。
【００１１】
本発明の一態様による集合写真編集装置において、前記プリントサイズ決定部は、前記複数の人物のうち前記撮影画像内の左端にいる人物の顔から前記撮影画像の左端までの長さと前記撮影画像の幅との比率、及び／又は前記撮影画像の右端にいる人物の顔から前記撮影画像の右端までの長さと前記撮影画像の幅との比率に基づいて、集合写真のプリントサイズを決定する。
【００１２】
本発明によるプログラムは、集合写真の撮影画像から複数の人物の顔を抽出するステップと、前記複数の人物のうち前記撮影画像内の左右の両端にいる人物の顔の位置から前記撮影画像の左右両端までの長さに基づいて、集合写真のプリントサイズを決定するステップと、前記複数の人物のうち前記撮影画像内の最上部にいる人物の顔の位置及び／又は最下部にいる人物の顔の位置と、テキスト領域を上下のどちらに配置するかを示す設定情報とに基づいて、前記プリントサイズに応じた前記撮影画像からの切り出し領域を決定するステップと、前記切り出し領域における前記テキスト領域の位置を決定するステップと、前記テキスト領域に文字情報を合成するステップと、をコンピュータに実行させるものである。
【発明の効果】
【００１３】
本発明によれば、集合写真の編集処理の作業負荷を軽減できる。
【図面の簡単な説明】
【００１４】
【図１】（ａ）は集合写真の撮影風景を示す図であり、（ｂ）は集合写真の編集からプリント出力までの流れを示す図である。
【図２】本発明の実施形態に係る集合写真編集装置のブロック図である。
【図３】集合写真編集プログラムを実行することで実現される機能ブロック図である。
【図４】プリントサイズ決定処理を説明する図である。
【図５】（ａ）は切り出し領域決定処理を説明する図であり、（ｂ）は文字情報の合成例を示す図であり、（ｃ）は集合写真の一例を示す図である。
【図６】画像プリント装置のブロック図である。
【図７】画像プリント装置の斜視図である。
【発明を実施するための形態】
【００１５】
以下、本発明の実施の形態を図面に基づいて説明する。
【００１６】
図１（ａ）（ｂ）に示すように、本発明の実施形態に係る集合写真編集装置１０は、デジタルカメラ等の撮影装置Ｃで撮影した集合写真の画像を編集するものである。集合写真編集装置１０で編集された画像データはプリンタＰへ転送される。プリンタＰは、画像を用紙に印画して、集合写真Ｓを作製する。
【００１７】
図２に示すように、集合写真撮影装置１０は、ＣＰＵ（中央処理装置）１１、メモリ１２、表示部１３、入力部１４及び通信部１５を有し、例えばコンピュータを用いることができる。
【００１８】
表示部１３は例えば液晶ディスプレイである。入力部１４は、キーボードやマウスである。タッチパネルが表示部１３及び入力部１４を構成していてもよい。
【００１９】
メモリ１２は、ＲＯＭ（Read  Only  Memory）、ＲＡＭ（Random  Access  Memory）、不揮発性メモリ、ハードディスク装置等を含む。メモリ１２には、通信部１５がインターネットを介して所定のウェブサイトからダウンロードした集合写真編集プログラムが格納されている。
【００２０】
ＣＰＵ１１が集合写真編集プログラムを実行することで、図３に示すように、顔抽出部１０１、プリントサイズ決定部１０２、切り出し領域決定部１０３、テキスト領域決定部１０４、文字合成部１０５、及びプリント処理部１０６の機能が実現され、カメラＣで撮影した集合写真の撮影画像の編集処理が行えるようになる。
【００２１】
撮影画像データは、撮影装置Ｃから集合写真撮影装置１０へ無線ネットワークを介して転送してもよいし、撮影画像が書き込まれたメモリカードを撮影装置Ｃから取り外し、集合写真撮影装置１０のカードスロットに差し込むことで、集合写真撮影装置１０に入力してもよい。
【００２２】
顔抽出部１０１は、撮影画像から人物の顔を抽出する。人物の顔の位置から撮影画像の上下を判定してもよい。
【００２３】
プリントサイズ決定部１０２は、抽出された複数の人物の顔のうち、左右の両端にいる人物の顔の位置を検出し、集合写真のプリントサイズを決定する。例えば、図４に示すように、プリントサイズ決定部１０２は、画像内で最も左側にいる人物Ｆ１の顔の位置と、最も右側にいる人物Ｆ２の顔の位置を検出する。
【００２４】
プリントサイズ決定部１０２は、人物Ｆ１の顔から画像の左端までの長さｄ１と画像全体の幅Ｗとの比率、人物Ｆ２の顔から画像の右端までの長さｄ２と画像全体の幅Ｗとの比率を算出し、これらの比率に基づいてプリントサイズを決定する。例えば、長さｄ１と幅Ｗとの比率、及び／又は長さｄ２と幅Ｗとの比率が１０％以上の場合、プリントサイズを２Ｌ版と決定し、長さｄ１と幅Ｗとの比率、及び／又は長さｄ２と幅Ｗとの比率が１０％未満の場合、プリントサイズを２Ｌｗ版と決定する。すなわち、左右両端の人物の顔の位置が画像の左右端部に近い場合、より横長のプリント用紙が使用される。プリントサイズを決定する比率の閾値は任意に設定可能である。
【００２５】
切り出し領域決定部１０３は、文字を入れるテキスト領域の位置を考慮し、画像の高さ方向における切り出し領域を決定する。テキスト領域は画像の上部又は下部に配置され、上下のどちらに配置するかは予め設定されている。
【００２６】
例えば、図５（ａ）に示すように、テキスト領域Ｔを画像の下部に配置する場合、切り出し領域決定部１０３は、抽出された複数の人物の顔のうち、最も上部に位置する人物Ｆ３の顔を検出し、この顔の位置から上方に所定のピクセル数の位置に切り出し線Ｌ１を設定する。また、切り出し領域決定部１０３は、切り出し線Ｌ１の位置と、プリントサイズとから、下側の切り出し線Ｌ２を設定する。撮影画像のうち、切り出し線Ｌ１よりも上側の領域及び切り出し線Ｌ２より下側の領域（図中斜線部分）はプリントされない領域となる。
【００２７】
テキスト領域Ｔを画像の上部に配置する場合、切り出し領域決定部１０３は、抽出された複数の人物の顔のうち、最も下部に位置する人物の顔を検出し、この顔の位置から下方に所定のピクセル数の位置に下側の切り出し線を設定する。あるいはまた、最も下部に位置する人物の体（足）を検出し、検出した体（足）の位置から下方に所定のピクセル数の位置に切り出し線を設定する。
【００２８】
テキスト領域決定部１０４は、撮影画像の切り出し領域の上端又は下端から所定の高さを持つように、テキスト領域の位置を決定する。例えば、図５（ａ）に示すように、テキスト領域決定部１０３は、切り出し線Ｌ２から上側に高さＨのテキスト領域Ｔを配置する。テキスト領域Ｔと、最も下部に位置する人物Ｆ４の顔との間隔が所定ピクセル数未満の場合、警告を出し、テキスト領域Ｔの高さＨが変えられるようにしてもよい。
【００２９】
文字合成部１０５は、入力部１４を介して入力された文字情報をテキスト領域に合成する。例えば、図５（ｂ）に示すように、テキスト領域Ｔに文字情報が合成される。文字のフォントやサイズは任意に変更可能である。
【００３０】
プリント処理部１０６は、撮影画像を切り出し線で切り出し、テキスト領域Ｔにテキスト情報を合成したプリント用画像を、通信部１５を介してプリンタＰへ転送し、プリントサイズを指示する。プリンタＰは、指定されたサイズの用紙に、プリント用画像をプリントして出力する。これにより、図５（ｃ）に示すような集合写真Ｓが作製される。
【００３１】
このように、本実施形態に係る集合写真編集装置１０は、撮影画像内の人物の顔の位置から、好適なプリントサイズを決定すると共に、プリントサイズに合わせて撮影画像内の全ての人物の顔が含まれるように画像を切り抜き、テキスト領域を配置する。そのため、カメラマン等による集合写真の編集処理の作業負荷を軽減することができる。
【００３２】
集合写真編集装置１０は、撮影画像内の全ての人物について、顔の頭頂より顎の下まで写っていることを確認することが好ましい。頭頂が写っていない人物が含まれている場合、集合写真編集装置１０は、この撮影画像を編集対象外としてもよい。
【００３３】
図６、図７に示すような画像プリント装置２に、上述した集合写真編集機能を持たせてもよい。
【００３４】
図６は画像プリント装置２のブロック構成図であり、図７は画像プリント装置２の斜視図である。図６に示すように、画像プリント装置２は、第１タッチパネル２０Ａ、第２タッチパネル２０Ｂ、データ入力部２１、課金部２２、プリンタ２３、ＣＰＵ２４、ディスク装置（記憶部）２５、及びメインメモリ２６を有する。
【００３５】
図７に示すように、第１タッチパネル２０Ａは筐体Ｋの天板２Ａ部分に設けられ、第２タッチパネル２０Ｂは筐体Ｋの上部に設けられている。第１タッチパネル２０Ａへの入力操作を行い易いように、天板２Ａ及び第１タッチパネル２０Ａの画面は、手前側が低く奥側が高くなるようにやや傾斜している。第２タッチパネル２０Ｂのディスプレイ画面は、第１タッチパネル２０Ａより後方で略垂直に立った状態となっている。
【００３６】
第１タッチパネル２０Ａ及び第２タッチパネル２０Ｂは、画像を含む情報を表示したり、利用者から各種指示の入力を受け付けたりする。
【００３７】
データ入力部２１は、撮影装置Ｃで撮影した画像データが記憶された記憶媒体から画像データを読み取ることで、集合写真の画像データの入力を受け付ける。データ入力部２１は、様々な記憶媒体に対応したデータ読取装置を有している。また、データ入力部２１は、赤外線通信又は無線通信により撮影装置Ｃから画像データの入力を受け付けることができる。図７に示すように、データ入力部２１は筐体Ｋの上部、具体的には筐体Ｋの手前側の天板２Ａと第２タッチパネル２０Ｂとの間に設けられている。
【００３８】
図７に示すように、課金部２２は、筐体Ｋの前面側に設けられた硬貨投入口２２Ａ、紙幣投入口２２Ｂ、釣銭返却口２２Ｃを有し、硬貨投入口２２Ａ及び紙幣投入口２２Ｂから投入された貨幣を識別計数し、釣銭を釣銭返却口２２Ｃから放出する。
【００３９】
プリンタ２３は、昇華型又はインクジェット型などの高解像度カラープリンタであり、画像データをプリントして出力する。プリンタ２３は筐体Ｋ内に収容されている。プリンタ２３は複数台設置されていてもよい。図７に示すように、筐体Ｋの前面側には、透明な開閉扉Ｄが開閉自在に設けられている。開閉扉Ｄの裏面側には、プリンタ２３がプリント出力したプリント物が集積される集積部（図示せず）が設けられており、開閉扉Ｄを開けると集積部に集積されたプリント物を取り出せるようになっている。
【００４０】
ディスク装置２５（記憶部）は、集合写真編集プログラムを格納する。ディスク装置２５は例えばハードディスクドライブである。
【００４１】
ＣＰＵ２４は、ディスク装置２５内の集合写真編集プログラムをメインメモリ２６にロードし、実行することで、図３に示すものと同様の機能を実現する。
【００４２】
画像プリント装置２は、ユーザから入力された集合写真の画像の編集を行い、プリント用紙のサイズ選択、撮影画像の切り出し、テキスト領域の配置を行う。ユーザがタッチパネル２０Ａを操作して入力したテキストが、テキスト領域に合成される。ユーザは、テキスト合成後のプレビュー画像を確認し、貨幣を投入する。課金部２２は投入された貨幣を計数し、釣銭の出金やレシートの印字等を行う。プリンタ２３が集合写真をプリント出力する。
【００４３】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４４】
２  画像プリント装置
１０  集合写真編集装置
【図１】
2020004197.tif 000003
【図２】
2020004197.tif 000004
【図３】
2020004197.tif 000005
【図４】
2020004197.tif 000006
【図５】
2020004197.tif 000007
【図６】
2020004197.tif 000008
【図７】
2020004197.tif 000009